(57)【特許請求の範囲】
【請求項１】
振動源が搭載されるトレイの被固定部材への固定機構であって、
前記トレイの外周に沿って配設されたワイヤーと、
前記ワイヤーの動作によって、前記トレイの側部に形成された第１の収納部から引き出される固定部材と、
前記ワイヤーに張力を与える張力付加機構と、
を備え、
前記張力付加機構で前記ワイヤーに張力を付加すると、前記固定部材が前記第１の収納部から外方に突出するように引き出され、前記固定部材における外方側の面が前記被固定部材に接触するトレイの固定機構。
【請求項２】
前記張力付加機構は、前記トレイに反力をとって、前記ワイヤーを押し込むレバー部材を備える請求項１に記載のトレイの固定機構。
【請求項３】
前記ワイヤーを押し込んだ状態で前記レバー部材を固定するロック機構を備える請求項２に記載のトレイの固定機構。
【請求項４】
前記固定部材は、前記ワイヤーが通される通路を備え、
前記通路には、前記ワイヤーへの張力の付加を解除したときに生じる前記ワイヤーの弛みを吸収する弛み吸収部が形成されている請求項１乃至３のいずれか１項に記載のトレイの固定機構。
【請求項５】
前記固定部材は、弾性部材から成る請求項１乃至４のいずれか１項に記載のトレイの固定機構。
【請求項６】
前記トレイの側部は、前記ワイヤーが収納される第２の収容部を有する請求項１乃至５のいずれか１項に記載のトレイの固定機構。
【請求項７】
前記振動源は、記憶装置である請求項１乃至６のいずれか１項に記載のトレイの固定機構。
【発明の詳細な説明】
【技術分野】
【０００１】
本発明は、トレイの固定機構に関し、特に振動源が搭載されるトレイの被固定部材への固定機構に関する。
【背景技術】
【０００２】
振動源の一種であるＨＤＤ（Hard Disk Drive）等の記憶装置を、被固定部材の一種であるケージに収めるために利用するトレイには、ゲージへの取付け、又は取外し(挿抜)の容易性と記憶装置の自己振動を抑えるための防振性能が求められる。
【０００３】
そのため、トレイが工具やネジを利用せずに容易にケージから挿抜できるように、設計上、トレイとケージの間にはクリアランスを設けることが一般的である。しかし、クリアランスの影響でトレイをケージにしっかりと固定することができず、記憶装置の自己振動を抑えることができなかった。また、記憶装置の自己振動を抑える方法としては、トレイをケージにネジ固定することが有用であるが、この場合、挿抜の容易性が失われてしまうという課題があった。
【０００４】
ところで、特許文献１には、側部から内方に向かって突出する保持部が形成された筐体と、記憶装置が搭載され、側部から外方に向かって突出する防振部が形成されたトレイと、を備えるディスク回転装置が開示されている。保持部は、平面から見て筺体の開口側に向かって幅寸法が狭くなる三角形状に形成されており、筺体の側部における開口側の端部に配置されている。また、防振部は、半円形状に形成されており、トレイを筺体に挿入したとき、保持部に接触する位置に配置されている。トレイを筺体に挿入し、防振部を保持部の傾斜面に食い込ませることで、トレイを筺体に固定している。
【０００５】
なお、特許文献２には、車体ドアの外周に沿って配設したワイヤーに張力を付加することで、ワイヤー受部を締め付け、車体ドアの閉まり剛性を高める技術が開示されている。
また、特許文献３には、モータの回転駆動力を、無端体を介してレンズ枠に伝達する構成において、前記無端体の張力の調整を、プーリを介して行う技術が開示されている。
【先行技術文献】
【特許文献】
【０００６】
【特許文献１】特開２００５−２２２５９０号公報
【特許文献２】特開２００８−２６５３８７号公報
【特許文献３】特開平９−４３４８１号公報
【発明の概要】
【発明が解決しようとする課題】
【０００７】
特許文献１の技術は、防振部を保持部の傾斜面に食い込ませただけでは、トレイと筺体との固定が十分でなく、当該トレイに搭載された記憶装置が自己振動を生じる可能性がある。
【０００８】
本発明の目的は、上述した課題を解決するトレイの固定機構を提供することにある。
【課題を解決するための手段】
【０００９】
本発明の一形態に係るトレイの固定機構は、振動源が搭載されるトレイの被固定部材への固定機構であって、前記トレイの外周に沿って配設されたワイヤーと、前記ワイヤーの動作によって、前記トレイの側部に形成された第１の収納部から引き出される固定部材と、前記ワイヤーに張力を与える張力付加機構と、を備え、前記張力付加機構で前記ワイヤーに張力を付加すると、前記固定部材が前記第１の収納部から引き出されて前記被固定部材に接触する。
【発明の効果】
【００１０】
本発明によれば、簡単な構成でトレイを筺体に確実に固定することができる固定機構を提供することができる。
【図面の簡単な説明】
【００１１】
【図１】本発明の実施の形態に係るトレイの固定機構を用いて、当該トレイをゲージに固定した状態を概略的に示す斜視図である。
【図２】本発明の実施の形態に係るトレイの固定機構における、当該トレイに記憶装置を搭載した状態を概略的に示す斜視図である。
【図３】本発明の実施の形態に係るトレイの固定機構を概略的に示す水平断面図である。
【図４】本発明の実施の形態に係るトレイの固定機構を概略的に示す斜視図である。
【図５】トレイの側部を示す斜視図である。
【図６】側部と前部とを接合した状態を示す斜視図である。
【図７】トレイの前部を示す水平断面図である。
【図８】本発明の実施の形態に係るトレイの固定機構を概略的に示す水平断面図である。
【図９】トレイの前部を示す水平断面図である。
【図１０】ワイヤー、固定部材及びレバー部材等を示す図である。
【図１１】固定部材を示す斜視図である。
【図１２】固定部材がトレイの側部における第１収納部内に収納されている状態を示す斜視図である。
【図１３】固定部材がトレイの側部における第１収納部内に収納されている状態を示す平面図である。
【図１４】固定部材がトレイの側部における第１収納部から引き出された状態を示す斜視図である。
【図１５】固定部材がトレイの側部における第１収納部から引き出された状態を示す平面図である。
【図１６】本発明の異なる実施の形態に係るトレイの固定機構を概略的に示す平面図である。
【発明を実施するための形態】
【００１２】
本発明の実施の形態に係るトレイの固定機構について説明する。但し、本発明が以下の実施の形態に限定される訳ではない。また、説明を明確にするため、以下の記載及び図面は、適宜、簡略化されている。なお、以下の説明における上下前後左右方向は、図２に示す上下前後左右方向を基準に説明している。
【００１３】
本実施の形態のトレイの固定機構（以下、単に固定機構という場合がある。）１は、図１乃至図３に示すように、被固定部材の一種であるゲージ２に対して、振動源の一種であるＨＤＤ等の記憶装置３が搭載されるトレイ４を挿抜する際に好適に用いられる。この固定機構１は、張力付加機構５によって、トレイ４の外周に沿って配設されたワイヤー６に張力を付加して、トレイ４の側部４１に形成された第１収納部４１ｃから固定部材７を引き出し、当該固定部材７をゲージ２の側部２１に接触させることで、トレイ４をゲージ２に固定する構成である。
【００１４】
具体的に云うと、固定機構１は、図２及び図３に示すように、トレイ４、張力付加機構５、ワイヤー６、固定部材７を備える。トレイ４は、図４に示すように、側部４１、底部４２、前部４３を備える。側部４１は、底部４２の左右の側縁に沿って設けられている。側部４１は、上述したように固定部材７をゲージ２の側部２１に接触させた際に変形しないように、底部４２に接合され、さらに自身の強度を有する。側部４１は、例えば樹脂成形品である。
【００１５】
側部４１には、図５に示すように、本体部４１ａ、接合部４１ｂを備える。本体部４１ａは、長尺の板状部材である。本体部４１ａには、長手方向に間隔を開けて、固定部材７が収納される第１収納部４１ｃが形成されている。本実施の形態の第１収納部４１ｃは、本体部４１ａを貫通するように形成されており、略矩形状に形成されている。さらに本体部４１ａの内側面（但し、外側面でも良い。）には、長手方向に沿って、ワイヤー６が収納される第２収納部４１ｄが形成されている。
【００１６】
詳細には、第２収納部４１ｄは、間隔を開けて配置された第１収納部４１ｃの間に形成される第１部分４１ｄ１、前側の第１収納部４１ｃから本体部４１ａの前端縁まで連続して延在する第２部分４１ｄ２、後側の第１収納部４１ｃから本体部４１ａの後端縁に到達する途中位置まで連続して延在する第３部分４１ｄ３を備える。
【００１７】
本体部４１ａの前端部には、前部４３への接合部４１ｂが形成されている。接合部４１ｂは、トレイ４の内方に向かって突出する板状部材である。接合部４１ｂには、例えば側部４１を前部４３に接合するためのボルトを通すボルト孔４１ｅが形成されている。このボルト孔４１ｅにボルト（図示を省略）を通して、図６に示すように側部４１と前部４３とが接合されている。
【００１８】
ここで、接合部４１ｂは、図５に示すように、補強部４１ｆによって本体部４１ａに連結されていることが好ましい。補強部４１ｆは、例えば平面から見て三角形状の板状部材である。補強部４１ｆは、接合部４１ｂの上下に配置されている。補強部４１ｆの角を挟んで一方の辺が本体部４１ａに接合され、他方の辺が接合部４１ｂに接合されている。これにより、側部４１と前部４３との接合部の強度を上げることができる。
【００１９】
底部４２は、記憶装置３を搭載するのに十分な広さを有する。この底部４２の左右方向の幅寸法は、トレイ４を図１に示すように左右に間隔を開けて配置されたゲージ２の側部２１間に良好に挿入することができるように、当該側部２１間より若干短く設定されている。底部４２は、例えば金属製、樹脂成形品等である。ちなみに、本実施の形態の底部４２は、図４に示すように、軽量化のためにパンチング処理が施されている。この底部４２の左右両端縁に側部４１が接合され、さらに前端縁に前部４３が接合されている。
【００２０】
前部４３は、カバー部材４３ａ、レバー部材４３ｂを備える。カバー部材４３ａは、図２等に示すように、トレイ４の前部として機能する。本実施の形態のカバー部材４３ａは、前側及び右側（但し、左側でも良い）が開口している略箱型部材である。カバー部材４３ａの内部には、図７に示すように、ワイヤー６が通される通路４３ｃが形成されている。カバー部材４３ａの左右側部にワイヤー６を内部に導き込む、又は導き出すための、切り欠き部４３ｄが形成されている。そして、カバー部材４３ａにおける左右方向の略中央位置に、ワイヤー６を支持する支持部４３ｅが形成されている。
【００２１】
さらにカバー部材４３ａの前側の開口部分を開閉するように、カバー部材４３ａにレバー部材４３ｂが回転可能に連結されている。詳細には、カバー部材４３ａの上下部は、レバー部材４３ｂの右側部に通された回転軸４３ｆを支持している。回転軸４３ｆは、カバー部材４３ａの前方右側部に配置されている。つまり、カバー部材４３ａの右側の開口部分は、レバー部材４３ｂが回転する際に、カバー部材４３ａに干渉しないために形成されている。
【００２２】
レバー部材４３ｂは、張力付加機構５として機能する。レバー部材４３ｂは、本体部４３ｇ、突出部４３ｈを備える。レバー部材４３ｂは、例えば樹脂成形品である。本体部４３ｇは、図６及び図７に示すように、長尺の棒状部材である。本体部４３ｇの右側部には、上下方向の回転軸４３ｆが通されている。ちなみに、本実施の形態の本体部４３ｇの右側部には、トレイ４の内方に突出するアーム部４３ｉが形成されており、アーム部４３ｉの先端部に回転軸４３ｆが通されている。これにより、図８及び図９に示すように、レバー部材４３ｂを閉じた状態とした際に、アーム部４３ｉの長さ分だけ、回転軸４３ｆより前方にレバー部材４３ｂが配置され、カバー部材４３ａの支持部４３ｅとの干渉を防ぐことができる。本体部４３ｇの左側部には、突出部４３ｈが形成されている。
【００２３】
突出部４３ｈは、トレイ４の内方に突出する。突出部４３ｈは、図９に示すように、レバー部材４３ｂを閉じた状態とした際に、カバー部材４３ａの内部に通されたワイヤー６を押し込む。つまり、突出部４３ｈの突出量は、レバー部材４３ｂを閉じた状態とした際に、ワイヤー６を押し込み、側部４１の第１収納部４１ｃから固定部材７を引き出すことができる、突出量に設定される。なお、突出部４３ｈの先端部は、ワイヤー６の損傷を防ぐために、丸みをおびた形状とされている。
【００２４】
ちなみに、レバー部材４３ｂは、図１０に示す板バネ４３ｊ等の付勢部材によって、当該レバー部材４３ｂを開く方向に付勢される構成であることが好ましい。板バネ４３ｊの一端部は、例えばレバー部材４３ｂの右側部に接続される。板バネ４３ｊの他端部は、例えばカバー部材４３ａに接続される。
【００２５】
また、図１０等に示すように、レバー部材４３ｂの閉じた状態を維持するロック機構４４を備えていることが好ましい。ロック機構４４は、レバー部材４３ｂにおける本体部４３ｇの左側部に形成された切り欠き部４４ａ、切り欠き部４４ａに嵌合される爪部４４ｂを備える。爪部４４ｂは、板バネ４４ｃ等の付勢部材を介してカバー部材４３ａに接合されている。このとき、板バネ４４ｃは、爪部４４ｂが切り欠き部４４ａに嵌合された状態で自然状態（復元力が発現しない状態）とされている。
【００２６】
このような構成により、ユーザが爪部４４ｂを左方向に回転させると、当該爪部４４ｂと切り欠き部４４ａとの嵌合状態が解除され、板バネ４３ｊの復元力によって、レバー部材４３ｂが開いた状態となる。一方、ユーザが爪部４４ｂを左方向に回転させ、レバー部材４３ｂを閉じた状態とし、爪部４４ｂを解放すると、板バネ４４ｃの復元力によって、爪部４４ｂが切り欠き部４４ａに嵌合され、レバー部材４３ｂが閉じた状態に維持される。
【００２７】
ワイヤー６は、レバー部材４３ｂの突出部４３ｈによって張力が付加された際に、切れない強度と柔軟性を有するビニールや金属等から成る。ワイヤー６は、図３等に示すように、トレイ４の外周に沿って配設されている。すなわち、ワイヤー６は、トレイ４の左側部から前部を介して右側部に渡されている。そして、ワイヤー６は、図１０等に示すように、固定部材７に通されている。
【００２８】
詳細には、ワイヤー６の一端部は、図６等に示すように、トレイ４の一方の側部４１に形成された第２収納部４１ｄにおける第３部分４１ｄ３の後方端部に固定されている。そして、ワイヤー６は、他端部に向かって、以下のように配設されている。
【００２９】
ワイヤー６は、一方の側部４１において、第２収納部４１ｄの第３部分４１ｄ３、後側の第１収納部４１ｃに収納されている固定部材７内、第２収納部４１ｄの第１部分４１ｄ１、前側の第１収納部４１ｃに収納されている固定部材７内、第２収納部４１ｄの第２部分４１ｄ２内に収納されている、
【００３０】
さらにワイヤー６は、カバー部材４３ａの一方の切り欠き部４３ｄから内部の通路４３ｃに導き込まれ、他方の切り欠き部４３ｄから導き出される。ワイヤー６は、途中で支持部４３ｅに支持されている。
【００３１】
また、ワイヤー６は、他方の側部４１において、第２収納部４１ｄの第２部分４１ｄ２、前側の第１収納部４１ｃに収納されている固定部材７内、第２収納部４１ｄの第１部分４１ｄ１、後側の第１収納部４１ｃに収納されている固定部材７内、第２収納部４１ｄの第３部分４１ｄ３内に格納されている。そして、ワイヤー６の他端部は、他方の側部４１に形成された第２収納部４１ｄにおける第３部分４１ｄ３の後方端部に固定されている。
【００３２】
固定部材７は、ワイヤー６の動作によって、トレイ４の側部４１に形成された第１収納部４１ｃから引き出される。詳細には、固定部材７は、図３及び図１１等に示すように、第１収納部４１ｃに収納可能な広さ（本実施の形態では、第１収納部４１ｃの内周と略等しい外周）を有し、且つ側部４１と略等しい厚さを有するブロック部材である。固定部材７は、ゲージ２の側部２１に接触してトレイ４を良好に固定することができる材質から成り、例えばゴム、プラスチック、金属等から成る。但し、固定部材７は、トレイ４に搭載される記憶装置３の自己振動を抑制する観点から、ゴム等の弾性部材から成ることが好ましい。
【００３３】
固定部材７には、図１１等に示すように、ワイヤー６が通される通路７１が形成されている。通路７１は、固定部材７の上部（但し、下部でも良い。）に形成されており、略前後方向に延在する溝部である。通路７１は、ワイヤー６を収納できる深さ及び幅寸法を有する。ここで、通路７１には、レバー部材４３ｂを開いた状態とした際に生じるワイヤー６の弛みを吸収する弛み吸収部７１ａが形成されていることが好ましい。具体的に云うと、弛み吸収部７１ａは、平面から見てトレイ４の外方に向かって略Ｖ字形状に固定部材７の上部を切り欠いた切り欠き部である。ワイヤー６に張力が付与されていない状態では、図１２に示すように、ワイヤー６は弛み吸収部７１ａに収納される。このとき、弛み吸収部７１ａの頂部７１ａ１は、張力が付加されて張った状態のワイヤー６におけるトレイ４の外方側の周縁（図１２の破線）より、トレイ４の内方側に位置する。そして、ワイヤー６に張力が付与された状態では、図１４に示すように、ワイヤー６が弛み吸収部７１ａの頂部７１ａ１を押し出し、固定部材７におけるトレイ４の外方側の面を側部４１から突出させる。そのため、弛み吸収部７１ａの頂部７１ａ１の位置は、ワイヤー６に張力が付与された際に、固定部材７が良好にトレイ４の側部４１から突出し、ゲージ２の側部２１に接触するように設定される。
【００３４】
固定部材７には、左右方向に突出する突出部７２が形成されていることが好ましい。第１収納部４１ｃには、固定部材７の左右方向の動き（突出又は収納）を許容し、且つ当該突出部７２が嵌め込まれる切り欠き部４１ｃ１が形成されており、この切り欠き部４１ｃ１に突出部７２が嵌め込まれる。これにより、固定部材７が左右方向に動く際の振れを防ぐことができる。
【００３５】
このような構成の固定機構１を用いて、以下のようにトレイ４をゲージ２に対して挿抜する。先ず、トレイ４をゲージ２に挿入して固定する流れを説明する。
ユーザは、図２に示すように、トレイ４に記憶装置３を搭載し、レバー部材４３ｂを開いた状態として、当該トレイ４をゲージ２に挿入する。このとき、ワイヤー６は未だ弛んだ状態であり、図１２に示すように、固定部材７は側部４１の第１収納部４１ｃ内に格納されている。つまり、固定部材７は、図１３に示すように、ゲージ２の側部２１とクリアランスＣを設けた状態で配置されている。
【００３６】
次に、ユーザは、ロック機構４４の爪部４４ｂを左方向に回転させ、レバー部材４３ｂを閉じた状態とし、爪部４４ｂを解放する。すると、板バネ４４ｃの復元力によって、爪部４４ｂが切り欠き部４４ａに嵌合され、レバー部材４３ｂが閉じた状態とされる。
【００３７】
同時に、レバー部材４３ｂの突出部４３ｈは、図９に示すように、ワイヤー６を押し込む。それに伴って、ワイヤー６は張力が付加されて張った状態となり、図１４及び図１５に示すように、固定部材７は側部４１の第１収納部４１ｃから引き出され、ゲージ２の側部２１に接触する。これにより、トレイ４はゲージ２に固定され、記憶装置３の自己振動を抑制することができる。しかも、本実施の形態の固定部材７は、ブロック部材であり、ゲージ２の側部２１との接触面積が広いので、トレイ４を確実にゲージ２に固定することができる。
【００３８】
一方、トレイ４をゲージ２から引き抜く際には、ユーザは、爪部４４ｂを左方向に回転させる。すると、当該爪部４４ｂと切り欠き部４４ａとの嵌合状態が解除され、板バネ４３ｊの復元力によって、レバー部材４３ｂが開いた状態となる。
【００３９】
同時に、レバー部材４３ｂの突出部４３ｈは、ワイヤー６への押し込みを解除するので、ワイヤー６が弛み、固定部材７のゲージ２の側部２１への接触が解除される。そのため、ユーザは簡単にトレイ４をゲージ２から引き抜くことができる。
【００４０】
このような固定機構１は、工具やネジ等を用いることなく、トレイ４のゲージ２に対する挿抜を行うことができる。しかも、固定機構１は、トレイ４を確実にゲージ２に固定することができ、記憶装置３の自己振動による当該記憶装置３への悪影響を抑えることができる。つまり、上述の固定機構１は、簡単な構成でトレイ４の挿抜容易性と防振性能を両立することができる。
【００４１】
本発明は上記実施の形態に限られたものではなく、趣旨を逸脱しない範囲で適宜変更することが可能である。
例えば、上記実施の形態のワイヤー６は、端部を第２収納部４１ｄの第３部分４１ｄ３の後端部に接続したが、この限りでない。すなわち、ワイヤー６は、図１６に示すように、一度後方（往路側）に向かって延在させてから、側部４１の後部に設けたプーリ４５を介して、前方（復路側）に向かって延在させて、端部を側部４１の前部に接続しても良い。このとき、側部４１及び固定部材７には、往路側のワイヤー６及び復路側のワイヤー６が収納される収納部をそれぞれ形成しても良く、統一して形成しても良い。
例えば、上記実施の形態では、被固定部材としてゲージ２を用い、振動源として記憶装置３を用いたが、この限りでない。
【符号の説明】
【００４２】
１  固定機構
２  ゲージ、２１  側部
３  記憶装置
４  トレイ
４１  側部、４１ａ  本体部、４１ｂ  接合部
４１ｃ  第１収納部
４１ｄ  第２収納部、４１ｄ１  第１部分、４１ｄ２  第２部分、４１ｄ３  第３部分
４１ｅ  ボルト孔
４１ｆ  補強部
４２  底部
４３  前部、４３ａ  カバー部材、４３ｂ  レバー部材、４３ｃ  通路、４３ｄ  切り欠き部、４３ｅ  支持部、４３ｆ  回転軸、４３ｇ  本体部、４３ｈ  突出部、４３ｉ  アーム部、４３ｊ  板バネ
４４  ロック機構、４４ａ  切り欠き部、４４ｂ  爪部、４４ｃ  板バネ
４５  プーリ
５  張力付加機構
６  ワイヤー
７  固定部材、７１  通路、７１ａ  吸収部、７１ａ１  頂部
【図１】
0005376675.tif 000002
【図２】
0005376675.tif 000003
【図３】
0005376675.tif 000004
【図４】
0005376675.tif 000005
【図５】
0005376675.tif 000006
【図６】
0005376675.tif 000007
【図７】
0005376675.tif 000008
【図８】
0005376675.tif 000009
【図９】
0005376675.tif 000010
【図１０】
0005376675.tif 000011
【図１１】
0005376675.tif 000012
【図１２】
0005376675.tif 000013
【図１３】
0005376675.tif 000014
【図１４】
0005376675.tif 000015
【図１５】
0005376675.tif 000016
【図１６】
0005376675.tif 000017